(57)【特許請求の範囲】
【請求項１】
デジタルセル無線電話ネットワークで、第１の自動車電話サービス交換センタ（ＭＳＣ）によりサービスされる区域で移動する発信加入者と、第２のＭＳＣによりサービスされる区域で移動する終端加入者との間で呼びを設定する方法において、前記デジタルセル無線電話ネットワークでは、終端加入者は第３のＭＳＣによりサービスされる区域で移動する転送される加入者へ呼びを転送し、前記方法は、
前記第１のＭＳＣからの前記第２のＭＳＣへ、前記発信加入者が属するネットワークを識別するネットワークコードと前記第１のＭＳＣの呼びを識別する呼び規準とを含むメッセージを送信するステップと、
前記第２のＭＳＣから前記第３のＭＳＣへ、前記ネットワークコードと前記第１のＭＳＣの前記呼び基準とを含む前記メッセージを渡すステップと、
前記第３のＭＳＣから前記第１のＭＳＣへ、前記第３のＭＳＣの呼びを識別する呼び基準を含み、スピーチのコード化およびチャンネルのコード化の設定を要求するリクエストをＴＣＡＰダイアログとして送信するステップと、
前記第１のＭＳＣから前記第３のＭＳＣへ、前記リクエストを承認する帰還信号をＴＣＡＰダイアログとして送信するステップと、
を有する前記方法。
【請求項２】
データを前記発信加入者から送信するためスピーチコード化およびチャンネルコード化するステップと、
前記終端加入者により前記発信加入者から受信されたデータをチャンネルコード化およびスピーチデコード化するステップと、
をさらに含み、
該データをチャンネルデコード化およびスピーチデコード化するステップは１回の呼びに対して１度のみ行われる請求項１記載の方法。
【請求項３】
前記リクエストを送信するステップ及び前記帰還信号を送信するステップは、構成されたＴＣＡＰダイアログとして行われる請求項１記載の方法。
【請求項４】
前記リクエストを送信するステップ及び前記帰還信号を送信するステップは、構成されていないＴＣＡＰダイアログとして行われる請求項１記載の方法。
【請求項５】
前記帰還信号をリクエストし送信するための前記各構成されていないＴＣＡＰダイアログでは、前記呼びの識別子を示すフィールドが含まれている請求項４記載の方法。
【請求項６】
デジタルセル無線電話ネットワークで、第１の自動車電話サービス交換センタ（ＭＳＣ）によりサービスされる区域で移動する発信加入者と、第２のＭＳＣによりサービスされる区域で移動する終端加入者との間で呼びを設定する装置において、デジタルセル無線電話ネットワークでは、終端加入者は第３のＭＳＣによりサービスされる区域で移動する転送される加入者へ呼びを転送し、前記装置は、
前記第１のＭＳＣからの前記第２のＭＳＣへ、前記発信加入者が属するネットワークを識別するネットワークコードと前記第１のＭＳＣの呼びを識別する呼び基準とを含むメッセージを送信する手段と、
前記第２のＭＳＣから前記第３のＭＳＣへ、前記ネットワークコードと前記第１のＭＳＣの前記呼び基準とを含む前記メッセージを渡す手段と、
前記第３のＭＳＣから前記第１のＭＳＣへ、前記第３のＭＳＣの呼びを識別する呼び基準を含み、スピーチのコード化およびチャンネルのコード化の設定を要求するリクエストをＴＣＡＰダイアログとして送信する手段と、
前記第１のＭＳＣから前記第３のＭＳＣへ、前記リクエストを承認する帰還信号をＴＣＡＰダイアログとして送信する手段と、
を具備している前記装置。
【請求項７】
前記リクエストを送信する手段および前記帰還信号を送信する手段は構成されているＴＣＡＰダイアログを実行する請求項６記載の装置。
【請求項８】
前記リクエストを送信する手段および前記帰還信号を送信する手段は構成されていないＴＣＡＰダイアログを実行する請求項６記載の装置。
【請求項９】
前記リクエストを送信する手段および前記帰還信号を送信する手段により実行される前記構成されていないＴＣＡＰダイアログは前記呼びの識別子を示すフィールドを含んでいる請求項８記載の装置。
【発明の詳細な説明】
［発明の技術的背景］
本発明は補足サービス、および通信ネットワークで加入者間の通信を処理するためのトランスコーダ制御処理とを行うシステムに関する。本発明は特にデジタルセル無線電話システムでデジタル自動車電話（携帯電話）加入者へ呼び転送サービスを行うシステムに関する。
セル無線電話システムはサービスされる地域の完全なカバー区域を共同して形成する隣接する無線セルのネットワークを典型的に具備している。各セルは関連する無線チャンネルを通って１以上の自動車電話局（ＭＳ）と通信するベース局（ＢＳ）を有する。所定のセルに割当てられた１セットの無線チャンネルは干渉を阻止するため隣接セルで使用されるセットと異なっている。ＢＳのグループはそれぞれの自動車電話サービス交換センタ（ＭＳＣ）により制御され、それぞれ公衆交換電話網（ＰＳＴＮ）の局部交換装置と等価のものである。したがってＭＳＣは呼びの切換え、経路設定、課金、ＰＳＴＮおよびその他のネットワークとの通信等の処理を行う。
Nordic Mobile Telephone （NMT）システム、Total Access Communication System （TACS）、Advanced Mobile Phone System（AMPS）、American Digital Cellular（ADC）システム、Global System for Mobile Communication（GSM）、Personal Digital Cellular（PDC）システム（正式にはJapanese Digital Cellular（JDC）システムと呼ばれている）は全て、移動（ローミング）する加入者に対して基本液で補足的なサービスを与えるための標準化技術に適合している。この明細書で使用されている用語“基本サービス”は単に呼びを設定し、第３者の呼びのようなサービスを行うための通信ネットワークの能力を表しており、これは個別の加入を必要とせずに全ての加入者に利用可能である。用語“補足サービス”は自動車電話および固定したネットワークの容量を意味しており、これは“基本”サービスを越え、これらのサービスが行われることができる前に個別の予約を必要とする。
個別の補足加入者サービスは２つのタイプに別けられ、即ち呼びを開始するプロセスを変更または補足するタイプ（ここでは“Ａ−加入者サービス”と呼ぶ）と、呼びを終了するプロセスを変更または補足するタイプ（ここでは“Ｂ−加入者サービス”と呼ぶ）である。Ａ−加入者サービスは転送する呼びの防止と私用ナンバリング計画を含んでいるがそれに限定されない。Ｂ−加入者サービスは無条件、即ち呼ばれた加入者またはネットワークの状態にかかわらず行われるサービスに分類され、その発動は加入者またはネットワークに存在する特定の状態または状況に依存する。無条件のＢ−加入者サービスは入来する呼びの防止および無条件の呼び転送を含んでいるがそれに限定されない。条件付きのＢ−加入者サービスは混線時の呼び転送と、返答のない呼び転送と、混雑した呼び転送と、呼び待ちを含んでいるがそれに限定されない。
基本および補足サービスを行うことを含む種々の動作は、Lantto氏による1993年９月３日出願の“Method and System for Providing Supplementary Services to a Mobile Station”と題する米国特許第08/115,589号明細書と、Lantto氏による1993年10月26日出願の“Receiving Subscriber Data from HLR in GSM MSC/VLR”と題する米国特許第08/141,086号明細書と、Lantto氏による1993年10月26日出願の“Method of Managing Supplementary Services Procedures in GSM/VLR towards HLR”と題する米国特許第08/141,094号明細書と、Widmark氏による1994年１月19日出願“Providing Individual Subscriber Services in a Cellular Mobile Communications Network”と題する米国特許第08/182,834号明細書と、Lantto氏による1994年３月27日出願の“Method for Handling Calls to a Non-Registered Mobile Subscriber in a Mobile Telephone System”と題する米国特許第08/249,989号明細書に記載されている。
ＭＳの追跡を維持するため、ホーム位置レジスタ（ＨＬＲ）と呼ばれるデータベースが自動車電話無線通信ネットワークにノードとして設けられている。使用者（ＭＳ）がオペレータからサービスを受信するために加入したとき、使用者により選択された補足サービスのような加入者情報がそのオペレータのＨＬＲに入力される。また、ＨＬＲはＭＳの現在の位置を供給するＭＳＣを識別する情報を含めたＭＳの位置についての情報を記憶する。この情報は、ＭＳが位置情報をＭＳＣによってＨＬＲに送信することによってＭＳが移動するときに更新される。したがって、ＭＳが新しいＭＳＣ区域へ移動したとき、これはＭＳＣと共に登録され、その後ＨＬＲからＭＳについてのデータをリクエストし、ＭＳが現在位置するＭＳＣ区域をＨＬＲに知らせる。
移動する加入者の現在位置を記憶することに加えて、ＨＬＲは加入者カテゴリを記憶し、（Ｃ番号と呼ばれる）転送番号を呼ぶ点で、典型的に個人の補足加入者サービスを管理する役目を行う。ＨＬＲは権限を付与された端末によりリクエストされたとき、そのメモリ中の加入者のカテゴリ情報とＣ番号を更新する。以下より詳細に説明するように、ＨＬＲは、移動するＭＳを登録するときには質問しているＭＳＣへこの情報の選択部分を送信し、ＭＳへ呼びを行うときにはゲートウェイＭＳＣ（ＧＭＳＣ）へ送信する。
典型的なネットワークでは、Ａ−加入者サービスと、条件付きのＢ−加入者サービスが登録時にＨＬＲにより訪問者ＭＳＣ（ＶＭＳＣ）へ与えられる加入者カテゴリに基づいてＭＳＣにより与えられる。ＭＳへの呼びは常にコンタクトされた第１のＭＳＣ（即ちＧＭＳＣ）がＨＬＲに加入者の場所をつき止めるように助言することを意味するので、無条件のＢ−加入者サービスはＨＬＲにより発動される。したがって呼びが無条件に発動されるＣ番号をＧＭＳＣに送信するなど無条件のサービスを処理するためにＨＬＲは最良の位置にある。
ＨＬＲとＭＳＣ間の通信を標準化するため、セル無線電話システムはCCITTの“Blue Book”のCCITTシグナリングシステム番号７の勧告Q.701-Q.707、Q.711-Q.714、Q.771-Q.775として知られている通信プロトコルのMobile Application Part（MAP）とTranslation Capabilities Application Part（TCAP）を採用している。ＭＡＰとＴＣＡＰプロトコルのやや異なった点は異なったセル標準（ＧＳＭ、ＡＤＣ、ＰＤＣ等）で使用されることである。ＭＡＰはＭＳ間の通信用のシグナリング処理を行う。ＰＤＣのネットワーク部分は標準的なInternode Specifications for Digital Mobile Communications Network, TTC JJ70.10、Ver. 3.2に記載されている。
本発明の種々の実施形態にしたがって、無線通信システムの既存のシグナリングチャンネルは自動車の加入者により所望される特定の加入者開始補足サービスに関する簡単なリクエストメッセージを送信するために使用される。ＭＳからネットワークへのこのようなサービスのリクエストシグナリングと、このサービスリクエストが承諾されているか否かを示すネットワークからＭＳへの確認シグナリングは層３で送信される。“層３”は特定のメッセージが送信され受信される論理チャンネルとその位置を限定する用語である。層３は例えばCCITTの“Blue-Book”の勧告Q.930の分冊VI.11、“Digital Subscriber Signalling System No.1（DSS 1）,Network Layer,User Network Management”に記載されている。
通信システムは少なくとも３つの層を有するものと考えることができる。層１は物理的な層であり、これは例えば無線周波数間隔、搬送波変調特性等の物理的通信チャンネルのパラメータを限定している。層２はエラー修正および検出等、物理チャンネル（層１）の制限内の情報の正確な伝送に必要な技術を限定している。層３は層２のデータリンク層によって情報を透明に転送する処理を限定している。
無線通信システムの特別なハードウェア構成はここで説明されている技術的範囲を越えたものであるが、当業者は、自動車電話またはポータブルステーションおよびネットワーク間で補足サービスのシグナリングが行われる任意のシステムに本発明が適用されることができることを容易に認識するであろう。無線通信システムの１例はセル通信ネットワークであり、ここではＭＳＣはＰＳＴＮと、ＭＳからの信号を送受信する１以上のＢＳ間に接続されているセル通信ネットワークである。呼びが接続されるとき、通信は通信チャンネルにわたって行われ、呼びの最初の接続と１つのＢＳから他への呼びの転送は典型的に制御チャンネルによって行われる。このような通信および制御チャンネルの詳細は例えばＧＳＭ、ＡＤＣ、ＰＤＣ等、構成されるシステムの応用可能な標準に準じることができる。このようなベース局および自動車局の１例のハードウェア構造については、Dahlin氏の米国特許第5,119,397号明細書を参照する。
新しい補足サービスが展開されるとき、これらはインテリジェントネットワーク（IN）と呼ばれるネットワーク定義を使用することにより迅速に設けられる。ＩＮのアイディアはネットワークの他のノードにより考慮され他のノードから更新されるインテリジェントノード（Ｉノード）をネットワーク中に提供することである。Ｉノードはシグナリング用にデータリンクを通ってのみ他のノードへ接続されるデータ処理装置であり、Ｉノードはスピーチまたは使用者データ転送用の切換えられた使用者接続を具備しない。結果として、これらはＰＳＴＮのサービス交換点（ＳＳＰ）のようなネットワークの特定の他のノードからのみデータリンクを経てアクセスされることができる。
新しいサービスがＩノードに新しいプログラムモジュールを付加することにより導入され、それぞれＩＮ機能のエンティティに対応する。例えばサービス制御点（ＳＣＰ）は大部分のサービス論理装置が存在するネットワーク中のノードであり、ＳＳＰはＳＣＰにより発動されるサービスをエネーブルするために必要な切換え機能を処理するノードである。これらのノードはCCITT勧告Q.1218に示されているＩＮ標準により規定される機能エンティティに対応する。サービスデータ機能（ＳＤＦ）もまたＳＣＦに必要とされるサービスデータを記憶するＳＣＰ中に構成されている。ＳＳＦとＳＣＦの間（およびＳＳＰとＳＣＰの間）の通信はIntelligent Network Application Part（INAP）と呼ばれるプロトコルにしたがって実行され、これはCCITT番号７の部分でもある。
固定したネットワーク環境のＩＮの解決策はＳＣＦとＳＳＦの間の機能分離の結果として新しいサービスの迅速な導入を達成し、ここでは完全な個人のサービス論理装置がＳＣＦに存在し、ＳＳＦはＳＣＦの指令の下で一般的に切換え機能（例えば呼び動作の監視および報告と、新しいレグの設定と、レグの遮断）のみを行う。ＩＮの解決策は、ＳＣＦとＨＬＲ、ＳＤＦとＨＬＲ、ＳＳＦとＭＳＣの動作計画の衝突のためにセル環境に適用されることができない。ＳＣＦはＨＬＲと同一機能を行うが、異なった構成と異なったインターフェイスを使用する。同じことがＳＤＦとＨＬＲ、ＳＳＦとＭＳＣにも言える。
例えば、ＳＣＦはインテリジェントネットワークの全てのサービスを制御することを意味するが、この装置は常にＨＬＲが無条件の呼び転送および入来する呼びの防止等のサービスの発動に必要な情報を含むことを必要とするセル標準により侵害される。同様に、ＳＤＦはインテリジェントネットワークで加入者データ記憶機能として動作するがＨＬＲは常にセルネットワークに加入者データを記憶する。
デジタルセル電話ネットワークでは、スピーチがデジタル形態で端末間、例えば発信デジタルＭＳからＰＳＴＮの電話または別のＭＳへ送信される。デジタルＭＳの入力アナログスピーチ信号は、応用可能な標準に準じるスピーチコード化アルゴリズムにしたがってデジタル形態に変換される。ＰＤＣシステムはコード励起された線形予報（ＣＥＬＰ）コーダまたはベクトル合計励起線形予報（ＶＳＥＬＰ）コーダとして知られているクラスのスピーチコーダである。ＶＳＥＬＰコーダはアナログスピーチ信号をデジタルスピーチ信号へ変換し、人間の音声の予測された周波数および振幅分布を考慮する。このようにして、３．１キロヘルツ（ｋＨｚ）の音声帯域幅を毎秒６．７キロバイト（ｋｂ／ｓ）に圧縮することが可能であり、これは通常のパルスコード変調（ＰＣＭ）が使用される場合に必要な６４ｋｂ／ｓよりも非常に小さい。他方で、このようなコード化されたスピーチは、トランスコーダまたはコーデックと呼ばれる装置を用いてコード化された信号を通常のデジタルスピーチへ変換せずには他のものにより使用されることができない。
スピーチコード化に加えて、多数のシステムはまたチャンネルコード化を使用する。例えば、ＰＤＣチャンネルコーダはデジタルスピーチ信号を送信エラーを検出し訂正するためのブロックおよびコンボリューションコードにしたがって冗長情報でエンコードする。ＰＤＣチャンネルコーダは６．７Ｋｂ／ｓの速度を有するＶＳＥＬＰデジタルスピーチを取り、これを１１．２Ｋｂ／ｓを有するチャンネルコード化信号へ変換し、これは例えば１つのＭＳＣから別のＭＳＣへ６４Ｋｂ／ｓチャンネルによってネットワークを通って限定されずに通過されることができる。１１．２Ｋｂ／ｓは全速度伝送であり、ＰＳＩ−ＣＥＬＰスピーチコーダからのデジタルスピーチから得られたチャンネルコード化信号の半速度送信（５．６Ｋｂ／ｓ）も使用されることができる。
２つのデジタルＭＳ間の呼びでは、通信の処理に使用される正確なトランスコーダ制御処理は、Integrated Services Digital Network User Parts（ISUP）とＩノードマップ処理が端部から端部まで保証されている場合にのみ、即ち、呼びがいつでもＰＤＣネットワーク内に完全に存在する場合にのみ、得られる。このような場合、開始および終了する加入者は両者とも１１．２−Ｋｂ／ｓのＶＳＥＬＰスピーチ接続およびチャンネルコード化接続に接続される。理論上、発信ＭＳにおいて、１１．２Ｋｂ／ｓスピーチコード化情報およびチャンネルコード化情報を６４Ｋｂ／ｓの呼びまで変換し、終端ＭＳにおいて再度情報を戻すように変換することが可能である。実際上、スピーチ品質が減少され、両者のスピーチコーダを相互に同期し、これらを“コーデックスルー接続”モードへ設定することが必要である。
図１ａは“コーデックスルー接続”モードのトランスコーダを示している。参照符号Ａ、Ｂ、Ｃは１１．２Ｋｂ／ｓのＶＳＥＬＰスピーチおよびチャンネルコード化呼びを表している。参照符号Ｄ、ＦはＭＳ−ＡからＭＳＣ−Ａへ、およびＭＳ−ＢからＭＳＣ−Ｂへのシグナリング接続をそれぞれ表している。参照符号ＥはＩＳＵＰシグナリング接続を表している。参照符号ＧはＭＡＰシグナリング接続を表している。
図１ｂは２つのデジタルＭＳ間の呼びのシグナリング図を示している。図１ｂを参照すると、発信ＭＳＣは呼びを行うＭＳからＳＥＴＵＰメッセージを受信し、呼び出されるパーティの番号の解析を命令する。トランスコーダは、“ＭＳへの呼び”の結果が得られても得られなくても発信ＭＳＣで“スピーチ”に設定される。これは重要であるので、発生したトーンまたは告示を聞くことが可能であり、また呼び転送が行われた場合を処理することも可能である。
ＩＳＵＰ内で、メッセージは自動車電話特定データに関する付加的な情報を含んでいる。初期アドレスメッセージ（ＩＡＭ）は送信媒体の要求（ＴＭＲ）または限定されないデジタル情報と、“スピーチ”または“スピーチおよびデータ”が伝送されることができるか否か、データが１１．２Ｋｂ／ｓまたはＶＳＥＬＰコード化されているか否か、コード化標準がネットワークに限定された標準であるか否かを含んでいる伝達能力を表した情報を含んでいる。ＩＡＭはまた、発信ＭＳＣの呼びおよび発信ＭＳＣのシグナリング点コード（ＳＰＣ）を識別する呼び基準（ＣＲ）情報と、発信ネットワークを識別するネットワークコード（ＮＣ）とを含んでいる。
ＩＡＭを受信したとき、終端ＭＳＣは呼び出されるＭＳをページングし、ＣＲを割当てる。終端ＭＳＣはアドレス終了メッセージ（ＡＣＭ）にそのＣＲとＳＰＣを帰還する。発信ＭＳＣはＡＣＭを受信し、ＡＣＭからのＣＲ値を記憶する。ＡＣＭからのＳＰＣは廃棄され、終端ＭＳＣのＳＰＣはスルー接続をリクエストするために送信されるコーデック設定リクエスト（ＣＯＤＥＣ  ＳＥＴ  ＲＥＱ）メッセージから代わりに得られる。この時点において終端ＭＳＣは発信ＭＳＣとＭＡＰ通信を開始するために十分な情報を有するが、発信ＭＳＣは終端ＭＳＣからメッセージを受信する前にこのような通信を開始するための十分な情報を持たない。
終了する呼びはＭＳからの接続（ＣＯＮＮ）メッセージの受信まで通常通りに進行する。この時点において、呼び設定が停止し、一方トランスコーダ制御処理が開始される。受信されたＩＡＭと使用者サービス情報の解析から、終端ＭＳＣは呼びが別のデジタルＭＳから来ており、そのトランスコーダを“コーデックスルー接続”モードへ設定することを認識する。終端のトランスコーダはその後スピーチおよび同期（ＳＳ）フレームの送信を開始する。ＩＡＭで受信されたＳＰＣ、ＮＣ、ＣＲを用いて、終端ＭＳＣはＭＡＰ  ＣＯＤＥＣ  ＳＥＴ  ＲＥＱメッセージを送信し、それによって“コーデックスルー接続”モードへ切換えるように発信トランスコーダへリクエストする。コーデックセット承認（ＣＯＤＥＣ  ＳＥＴ  ＡＣＫ）メッセージを待機しているタイターＴＣｏｄｅｃは終端ＭＳＣで開始される。
発信ＭＳＣでＣＯＤＥＣ  ＳＥＴ  ＲＥＱメッセージを受信するとき、発信トランスコーダはスピーチ回路でＳＳフレームの送信を開始する。これが行われたとき、発信ＭＳＣは、先に記憶されたＣＲと、ＣＯＤＥＣ  ＳＥＴ  ＲＥＱメッセージで受信されたＳＰＣおよびＮＣを用いて、ＣＯＤＥＣ  ＳＥＴ  ＡＣＫメッセージを終端ＭＳＣへ戻す。ＣＯＤＥＣ  ＳＥＴ  ＡＣＫメッセージを受信したとき、呼び設定は回答メッセージ（ＡＮＭ）の送信を継続する。ＣＯＤＥＣ  ＳＥＴ  ＡＣＫメッセージがＴｃｏｄｅｃが完了する前に受信されないならば、呼びは終端ＭＳＣにより解除される。ＭＡＰメッセージは、呼び設定期間に送信されたＳＰＣ、ＮＣ、ＣＲを用いて、終端ＭＳＣと発信ＭＳＣ間で直接送信される。
図２で示されているように標準的なＰＤＣネットワークでは、ＭＳＣ−Ａとして示されている発信ＭＳＣは、スピーチコーダおよびチャンネルコーダを含むＭＳ−Ａとして示されている発信デジタルＭＳと無線コンタクトしている。ＭＳ−Ａにより発信される呼びはリンクまたは接続10を経てＭＳＣ−Ａから、ＭＳＣ−Ｂとして示されている終端ＭＳＣへ設定され、ＭＳＣ−Ｂはチャンネルコーダおよびスピーチコーダを含むＭＳ−Ｂとして示されている終了デジタルＭＳと無線コンタクトしている。ＭＳＣ−Ａは現在のＭＳ−Ｂの位置についてＨＬＲに質問し、ＭＳ−Ｂの移動番号を受信するためＭＡＰインターフェイスを使用し、この移動番号をＭＳＣ−Ａは接続10およびＭＳＣ−Ｂを経てＭＳ−Ｂへ呼びを伝送するために使用する。図２は呼び転送がＭＳ−Ｂにより発動されないときの典型的な状況を示しており、ネットワークは“コーデックスルー接続”モードで動作し、ＶＳＥＬＰまたはＣＥＬＰデータは層１データとして接続10を通過する。
ＰＤＣ標準シグナリングメッセージの予め定められた情報要素はトランスコーダ制御処理および幾つかの補足サービスを十分に行わない。例えばＰＤＣシステムに対して特定されたトランスコーダ制御処理は終端ＭＳが呼びを別のデジタルＭＳへ転送している場合の通信には不適切である。
この状況が図３で示されている。呼び転送サービスがＭＳＣ−Ｂで発動されるとき、ＭＳＣ−Ｂの論理装置はそのカテゴリー記憶装置でそれを読取らせ、（これはＭＳ−ＢがＭＳＣ−Ｂによりサービスされる地域へ移動するときＭＡＰインターフェイスを通じてＨＬＲから更新されており）この記憶装置は記憶装置で与えられた特定のＣ番号にＭＳ−Ｂが呼びを転送する。この状況に応答して、ＭＳＣ−Ｂは呼びを、接続12へ経てＣ番号を有する送信されるデジタルＭＳ−Ｃと、ＭＳＣ−Ｃとして示されている送信されるＭＳＣへ伝送し、したがって補足サービスを終了する。
このような呼びが転送されるとき、送信される交換ＭＳＣ−Ｃが、発信する交換ＭＳＣ−Ａを識別し発信するＣＲ情報を識別することは困難である。デジタルＭＳの終端ＭＳＣが別のデジタルＭＳの発信ＭＳＣをアドレスするため、ＳＰＣだけでなく、発信ＭＳＣのネットワーク識別子も終端ＭＳＣにより決定されなければならない。Ｉノードの現在のＰＤＣ標準の詳細では、終端ＭＳＣは、発信ＭＳＣから終端ＭＳＣへ送信されるＩＡＭに含まれている“課金区域”情報から発信ＭＳＣのネットワーク識別子を得る。特に、発信ＭＳＣのネットワーク識別子はＩＡＭのＮＣデータとメッセージ区域（ＭＡ）データから得られる。
それにもかかわらず、図３で示されている通信シナリオでは、転送するレグが独立しているので、ＭＳＣ−Ｂにより送信されるＩＡＭの“課金区域”情報要素は、発信ＭＳＣ−Ａのネットワーク識別子を得るためにＭＳＣ−Ｃにより使用されることができない。したがってＭＳＣ−ＢによりＭＳＣ−Ｃへ送信されるＩＡＭの“課金区域”情報は、呼びを発信する加入者ＭＳ−Ａではなく転送する加入者ＭＳ−Ｂに関する。
さらに、図３、４で示されているように、ＩＡＭのＳＰＣデータがＭＳＣ−Ａをアドレスするために使用され、ＩＡＭのＮＣデータがＭＳＣ−Ｂをアドレスするために使用されるので、呼び転送が開始されるとき、スピーチおよびチャンネルコード化をリクエストするためのコーデック設定リクエストメッセージは最終的な目的地ＭＳＣ−Ａへ到達しない。この理由は転送する加入者ＭＳ−Ｂが呼びの転送レグのために課金されるからである。さらに、発信ＭＳＣ−Ｂは転送ＭＳＣ−Ａのネットワークと異なったネットワークに属するので、呼び転送は単一のネットワークのトランスコーダ制御処理により処理することが不可能である。
呼び転送についての前述のその他の問題は異なった交換およびネットワーク間で通信するためのＩＳＵＰ下の呼び基準である。ＩＳＵＰのＰＤＣ標準および現在のＩノードの詳細にしたがって、終端ＭＳＣ−Ｂはアドレス完了メッセージ（ＡＣＭ）を発信ＭＳＣ−Ａへ送信する。ＡＣＭメッセージは終端ＭＳＣ−ＢのＳＰＣと、ＭＳＣ−Ｂにより割当てられたＣＲを含んでいる。スピーチとチャンネルコード化のリクエストが受信されていることを確認するためにコーデック設定承認メッセージをＭＳＣ−Ｂへ送信するとき、パラメータＳＰＣとＣＲはＭＳＣ−Ａにより使用される。
図５で示されているように、加入者ＭＳ−ＢがＭＳＣ−Ｃと接触している呼びを別のデジタルＭＳへ転送するならば、発信ＭＳＣ−Ａに記憶されているＳＰＣとＣＲは（正式には）終端ＭＳＣ−ＢのＳＰＣとＣＲである。ＭＳＣ−Ｃは転送される呼びの終端ＭＳＣであるので、ＭＳＣ−ＡからＭＳＣ−Ｃへ送信されるコーデック設定承認メッセージはＭＳＣ−ＣのＣＲの代わりにＭＳＣ−ＢのＣＲを含んでいる。換言すると、コーデック設定リクエストメッセージのＣＲはコーデック設定承認メッセージのＣＲに対応しない。ＭＳＣ−Ｃにより割当てられたＣＲによりＭＳＣ−Ｃで応答が受信されないので、呼びを適合するためにＭＳＣ−Ｃで開始したタイマーは経過し、設定処理は不成功であり、呼びが解除される。
図３で示されているように、ＶＳＥＬＰまたはＣＥＬＰデータはＭＳＣ−Ａにおいてデコードされ、通常のＰＣＭデータとして接続10とＭＳＣ−Ｂと接続12とを通過する。ＭＳＣ−Ｃはその後、スピーチとチャンネルコード化との両者を使用して情報を再コード化し、再コード化された情報をＭＳ−Ｃへ転送する。ＣＥＬＰ／ＶＳＥＬＰコード化では、アナログスピーチ信号のみがスピーチコーダへ提供されなければならず、即ち２つのコーダは縦続されてはならない。したがって一般的なＰＤＣ標準はＭＳＣ−ＢとＭＳＣ−ＣとＭＳ−Ｃとの間の転送レグが独立した呼びとして設けられることを条件とし、ＭＳＣ−ＡはＭＳＣ−Ｃへ送信するためにスピーチデータをデコードし、ＭＳＣ−ＣはこれをＭＳ−Ｃへ送信するために再コード化する。呼びを転送するため、転送するＭＳＣはＴＭＲを“スピーチ”または３．１ｋＨｚオーディオへ変更する。呼びが転送されるとき、両者の加入者は“スピーチ”モードで接続されているトランスコーダを有し、これはスピーチ品質の損失につながる。ＣＥＬＰ／ＶＳＥＬＰコード化がより低いビット速度のスピーチ品質を交換するので、この特別のデコード化／コード化の結果としてスピーチ品質を減少する。
［発明の要約］
本発明では、呼びが１つのデジタル端末またはネットワークから他のものへ転送されるときの現在のＰＤＣ標準ネットワークにおける必要ではないスピーチデコードが避けられる。本発明の呼び転送の解決策は現在のＰＤＣ標準の２つの欠点を克服している。即ち、これは呼びが１つのデジタルネットワークから別のところへ転送されるとき、発信交換装置および発信呼び基準の識別を行う。
それ故、本発明の目的は、呼びが１つのデジタルネットワークから別のところへ転送されるとき、必要ではないスピーチおよびチャンネルのコード化とデコード化を避けることである。
それ故、本発明の別の目的は、現在のデジタルネットワーク標準方式でスピーチ品質を改良しながら呼び転送動作を支持することを可能にすることである。
本発明にしたがって、これらおよび他の目的は呼び転送動作期間に正確なネットワーク識別と呼び基準を与えることにより達成される。積極的なネットワーク識別が発信ＭＳＣのネットワークコードを含む新しい情報要素を使用して達成され、これは呼び転送が発動されるときでもネットワークにおける呼び設定期間中に変更されない。正確な呼び基準はTCAP（Transaction Capability Application Part）サービスを使用して達成され、これは発信ＭＳＣからの帰還結果を確実にし、コーデック設定リクエストメッセージの承認は常に正しい終端ＭＳＣへ送信される。
【図面の簡単な説明】
図１ａ、１ｂは一般的な自動車電話局間の呼び設定を示している。
図２は呼び転送補足サービスを発動しない一般的な自動車電話通信ネットワークの呼び伝送を示している。
図３は自動車電話通信ネットワークの呼び転送補足サービスを示している。
図４は呼び転送の場合のネットワークメッセージシーケンスを示している。
図５は呼び転送の場合のネットワークメッセージシーケンスを示している。
図６は本発明にしたがって自動車電話通信ネットワークの呼び転送補足サービスを示している。
図７は“ＭＳＣアドレス”情報要素を含むように変更された呼び当業者パラメータ番号を示している。
［好ましい実施例の詳細な説明］
呼び転送は本発明により解決されたネットワークのトランスコーダ制御についての特別な問題を提起する。説明のために、発信ＭＳＣはＭＳＣ−Ａとして示され、呼びを転送するＭＳＣはＭＳＣ−Ｂとして示され、呼びが転送されるＭＳＣはＭＳＣ−Ｃとして示されている。本発明はこれらのラベルの使用に限定されないが、呼び転送動作に含まれる任意のタイプまたは数のネットワーク素子に適用する。
図６で示されているように、本発明は前述したように層１データとして接続10を経て通過するＶＳＥＬＰまたはＣＥＬＰデータを提供するが、この情報はＭＳＣ−Ａでデコードされない。代わりに“コーデックスルー接続”モードが呼びのネットワークを通じて設定され、それによってＶＳＥＬＰまたはＣＥＬＰデータが層１データとして接続12を経てＭＳＣ−Ｃへ通過され、これは単に情報をＭＳ−Ｃへ転送する。１つの効果はスピーチ品質を減少する余分なデコード化／コード化を避けることである。
呼び転送がＰＤＣシステムのようなデジタルセルネットワークのデジタルＭＳ間で付勢されるとき、ＭＳＣ−ＢによりＭＳＣ−Ｃへ転送される呼びはＭＳＣ−Ａからの独立した呼びとして処理される。したがって呼びを第３者（例えばＭＳＣ−Ｃ）へ転送するネットワークまたは交換装置（例えばＭＳＣ−Ｂ）は適切な処理を行わなければならず、したがって転送される呼びによる信号は、発信するネットワークが呼び転送が付勢されていることを認識する必要がないように発信するパーティに影響を与える。
ネットワーク識別子は呼び転送動作期間中にネットワークが行わなければならない必要な処理の１部である。呼び転送動作期間中に発信ＭＳＣ−Ａのネットワーク識別子の正確な認識を行うため、回答する自動車電話加入者ＭＳ−ＣからＭＳＣ−Ａをアドレスするために使用されるデータは明白に他のデータから分離される。即ち、ＩＡＭの“課金区域”情報要素はＭＳＣ−Ａをアドレスするために使用されない。代わりに、ＭＳＣ−Ａのネットワークコードを含んでいる“ＭＳＣアドレス”と呼ばれる新しい情報要素はＩＳＵＰ  ＩＡＭで付加される。
ＩＳＵＰ  ＩＡＭ部分の図はＩＳＵＰの付録Ｉの図1-9/JJ-70.10に示されている呼びパーティパラメータ番号フィールドである。このフィールドは“ＭＳＣアドレス”情報要素を含むため図７で示されているように変更される。“ＭＳＣアドレス”は呼び転送が発動されてもネットワークの呼び設定期間中は変更されない。したがって、ＭＳＣ−Ａのアドレスは常に正確に検索され、呼び設定は成功する。
呼び転送動作期間中にネットワークが行わなければならない別の処理部分は発信ＭＳＣによる終端ＭＳＣの呼び基準である。前述の呼び転送の一般的な呼び基準プロセスの問題は、終端ＭＳＣのＣＲがＡＣＭメッセージのＩＳＵＰを経て発信ＭＳＣへ送信されることである。ＡＣＭは呼び転送前に、発信ＭＳＣ−Ａへ送信され、ＡＣＭメッセージにしたがう“終端”ＭＳＣは転送されたＭＳＣ−Ｃではなく、むしろ転送するＭＳＣ−Ｂである。したがってＡＣＭメッセージは常にＭＳＣ−Ｃを示し、ここでは転送されたＭＳ−Ｃが回答する。
呼び基準の問題はＡＣＭメッセージにおいて、ＩＳＵＰを経て終端ＭＳＣ−Ｂから発信ＭＳＣ−Ａへ送信しないことにより解決される。その代わりにＴＣＡＰサービスが使用される。セルネットワークのノード間で広範囲の情報転送を行うために広範囲の応用を与えるＴＣＡＰの１つの特徴は、ダイアログ処理であり、ここでは２人の使用者が多量の情報を交換することができる。ＴＣＡＰダイアログが構成されることができ、また構成されなくてもよい。使用者からの返答を必要としない構成されないダイアログは通常のネットワーク制御に使用される。使用者からの返答を必要とするかまたは使用者に返答する構成されたＴＣＡＰダイアログはネットワークの“コーデックスルー制御”ＭＡＰで好ましい。
ＴＣＡＰは４つの異なったクラスの動作を含んでおり、その属性を以下の表Ｉで示す。
0003821301.tif 000002
ＴＣＡＰクラス４の動作は一般的に“コーデック設定リクエスト”に対して使用され、表ＩＩにしたがって限定される。ＴＣＡＰクラス４の動作を使用して、“コーデック設定リクエスト”は終端ＭＳＣ−Ｂにより発信ＭＳＣ−Ａに送信されるが、発信ＭＳＣ−Ａから終端ＭＳＣへ戻る帰還結果は送信されない。
0003821301.tif 000003
一般的なコーデック設定承認メッセージは表IIIにしたがって限定される。
0003821301.tif 000004
その代わりに、本発明の１観点にしたがって、ＴＣＡＰクラス１の動作は“コーデック設定リクエスト”に使用される。したがって、発信ＭＳＣ−Ａからの帰還結果と“コーデック設定リクエスト”の承認は通常のＴＣＡＰ特徴により与えられるとき正確な終端ＭＳＣへ常に送信される。ＴＣＡＰ構成されたダイアログを使用して、発信ＭＳＣ−Ａはまた所望ならば拒否素子に応答することもできる。
本発明にしたがった“コーデック設定リクエスト”動作は現在のＩノードの詳細を使用して表ＩＶにしたがって限定される。
0003821301.tif 000005
表ＩＶに示されているように構成されたＴＣＡＰ処理の使用、即ち構成されていないダイアログの使用の代わりとして、、フィールドがTTC JJ 70.10 Ver.3の各クラス４“コーデック設定リクエスト”と“コーデック設定リクエスト確証”（コーデック設定承認）メッセージに付加されることができる。付加されたフィールドは“コーデック設定リクエスト”メッセージの表Ｖで示されているように“呼び識別子”の“ＣＩ”と呼ばれ、ＭＳＣ−Ｃ（実際の終端ＭＳＣ）により割当てられる呼び基準である。
0003821301.tif 000006
ＩＩＣＲフィールドと同一のフォーマットを便宜的に有するＣＩフィールドの付加はクラス４の動作の使用を可能にするが、動作の開始者は自動的に動作が適切であったか否かの回答を受信する。正確な呼び基準は常に開始者に帰還される。ＣＩフィールドの付加はクラス４の目的を実現し、最初に呼びを識別し、変更しない。
本発明の別の観点にしたがって、“コーデック設定リクエスト”はASN.1（Abstract Syntax Notation 1）を使用して限定され、これはCCITT（International Telegraph & Telephone Consultative Committee）により勧告されている構成された情報を説明する言語である。ASN.1の“コーデック設定リクエスト”を以下に示す。
ＡＳＮ．１の正式の説明
コーデック設定リクエスト        ＝ＯＰＥＲＡＴＩＯＮ
ＰＡＲＡＭＥＴＥＲ
呼び基準                        ＣａｌｌＲｅｆｅｒｅｎｃｅ
コーデック状態                  ＣｏｄｅｃＳｔａｔｕｓ
ＲＥＳＵＬＴ
ＥＲＲＯＲＳ                      ＣｏｄｅｃＦａｉｌｕｒｅ
これらの情報要素は他のメッセージを使用して交換されるので、一般的にＡＣＭメッセージで送信されるＣＲとＳＰＣ情報要素はＡＣＭメッセージから削除されることができる。これは付加的な情報のＡＣＭメッセージの空間をフリーにする。
前述したように、本発明は呼び転送がＰＤＣ標準ネットワークで支持されることを可能にし、一方で１つのネットワークまたは交換装置から別のところへ呼びが転送されるとき不必要なスピーチデコードを避けることにより良好なスピーチ品質を提供する。発信ＭＳＣのネットワークコードを含んでいる“ＭＳＣアドレス”と呼ばれる新しい情報要素がＩＳＵＰ  ＩＡＭに付加され、それによって発信ＭＳＣのアドレスは終端ＭＳＣにより適切に決定されることができ、または呼び転送が開始されたならば、終端ＭＳＣから転送される呼びを受信する転送されるＭＳＣにより適切に決定されることができる。ダイアログを構成するＴＣＡＰクラス１は“コーデック設定リクエスト”動作に使用され、それによって“コーデック設定リクエスト”を承認する帰還結果信号は終端ＭＳＣで正確な受信機へ送信され、または呼び転送が開始されたならば、転送されるＭＳＣで正確な受信機へ送信される。
本発明は説明し、図示された特別な実施形態に限定されない。即ち本発明は例えばＤ−ＡＭＰＳ（ＡＤＣ）またはＧＳＭのような任意のデジタルセル通信システムに適用されることが理解されよう。勿論、本発明はＡ−Ｂ→Ｃ→Ｄ、Ａ−Ｂ→Ｃ→Ｄ→Ｅ等の多数の呼び転送に使用される。ここで“Ａ”はＭＳＣ−Ａによりサービスされる区域で移動する発信加入者を表しており、“Ｂ”はＭＳＣ−Ｂによりサービスされる区域で移動する加入者を表しており、ＭＳＣ−Ｂの加入者“Ｂ”は呼びを、ＭＳＣ−Ｃによりサービスされる区域で移動する他の加入者“Ｃ”へ転送し、ＭＳＣ−Ｃの加入者“Ｃ”は代わりに、呼びをＭＳＣ−Ｄによりサービスされる区域で移動するさらに別の加入者“Ｄ”へ転送する。本発明は以下の請求の範囲により限定されているように本発明の技術的範囲内であらゆる全ての変形を考慮する。
【図１ａ】
0003821301.tif 000007
【図１ｂ】
0003821301.tif 000008
【図２】
0003821301.tif 000009
【図３】
0003821301.tif 000010
【図４】
0003821301.tif 000011
【図５】
0003821301.tif 000012
【図６】
0003821301.tif 000013
【図７】
0003821301.tif 000014